(57)【要約】【課題】管体を保持する壁貫通配管保持具を、壁体に対して強固に固定する。【解決手段】壁体２の貫通孔３に挿通される管体１と、管体１の外周に配置される筒状の保持部材１１と、保持部材１１の外周にねじ結合により取り付けられるリング部材１５と、保持部材１１に設けられリング部材１５の一端面１５ｃに対向する段部端面１１ｃと、一端面１５ｃと段部端面１１ｃとの間に保持され壁体２の側面３に固定される固定板１３とを備える壁貫通配管保持具１０とした。【選択図】図１
2019190534.tif 000002
【特許請求の範囲】
【請求項１】
壁体（２）の貫通孔（３）に挿通される管体（１）と、
前記管体（１）の外周に配置される筒状の保持部材（１１）と、
前記保持部材（１１）の外周にねじ結合により取り付けられるリング部材（１５）と、
前記保持部材（１１）に設けられ前記リング部材（１５）の一端面（１５ｃ）に対向する段部端面（１１ｃ）と、
前記一端面（１５ｃ）と前記段部端面（１１ｃ）との間に保持され前記壁体（２）の側面（４）に固定される固定板（１３）と、
を備える壁貫通配管保持具。
【請求項２】
前記一端面（１５ｃ）と前記段部端面（１１ｃ）のいずれかは、前記壁体（２）の側面（４）と面一である請求項１に記載の壁貫通配管保持具。
【請求項３】
前記リング部材（１５）は前記貫通孔（３）内に位置している請求項１又は２に記載の壁貫通配管保持具。
【請求項４】
前記保持部材（１１）の内周と前記管体（１）の外周との間に第一パッキン（１７）を備える請求項１から３のいずれか一つに記載の壁貫通配管保持具。
【請求項５】
前記保持部材（１１）の軸方向端部にねじ結合により取り付けられる端部ナット（１６）を備え、
前記端部ナット（１６）の内側端面（１６ｃ）と前記保持部材（１１）の軸方向端部との間に第二パッキン（１８）を備える請求項１から４のいずれか一つに記載の壁貫通配管保持具。
【請求項６】
前記端部ナット（１６）は前記貫通孔（３）内に位置している請求項５に記載の壁貫通配管保持具。
【発明の詳細な説明】
【技術分野】
【０００１】
この発明は、配水管や電気配線挿通用の管体、ガス管、その他各種用途の管体を、壁体に設けられる貫通孔に対して取り付ける壁貫通配管保持具に関するものである。
【背景技術】
【０００２】
従来から、例えば、浴室の内外間や、部屋と部屋との相互間、あるいは、屋外に設置される給湯器やエアコンの室外器等と屋内の機器とを結ぶ箇所等において、壁体に設けられる貫通孔に管体を取り付ける壁貫通配管保持具が用いられる。これらの壁貫通配管具による管体の取り付けは、例えば、建物の新築時のみならず、建物のリフォーム時においても行われる。
【０００３】
この壁貫通配管保持具としては、例えば、特許文献１に示すように、壁体の側面への当接面にパッキンが設けられた円板状のフランジ部材と、このフランジ部竿に保持されて貫通孔に通される複数の管体と、貫通孔に沿って配置され一端側がフランジ部材に保持され、他端部がネジ棒とされたボルト部材と、そのボルト部材のネジ棒が貫通される角パイプと、ボルト部材にねじ込まれ、角パイプを壁体の反対側の側面に押し付けるナットとを備えるものが知られている。
【先行技術文献】
【特許文献】
【０００４】
【特許文献１】特開２００２−３７２１７３号公報
【発明の概要】
【発明が解決しようとする課題】
【０００５】
特許文献１に記載の壁貫通配管保持具は、ボルト部材のネジ棒によって、角パイプとフランジ部材が壁体の両側側面に押し付けられている。このため、ナットは壁体の貫通孔の外側に露出する状態でボルト部材のネジ棒にねじ込まれて、角パイプに密着している。突出したネジ棒にねじ込まれたナットは振動などの外的要因を受け易く、ナットのボルト部材に対する締め付けが緩むことで、壁貫通配管保持具の壁体に対する固定が緩む恐れがあった。
【０００６】
そこで、この発明の課題は、管体を保持する壁貫通配管保持具を、壁体に対して強固に固定することである。
【課題を解決するための手段】
【０００７】
上記課題を解決するために、この発明は、壁体の貫通孔に挿通される管体と、前記管体の外周に配置される筒状の保持部材と、前記保持部材の外周にねじ結合により取り付けられるリング部材と、前記保持部材に設けられ前記リング部材の一端面に対向する段部端面と、前記一端面と前記段部端面との間に保持され前記壁体の側面に固定される固定板と、を備える壁貫通配管保持具を採用した。
【０００８】
ここで、前記一端面と前記段部端面のいずれかは、前記壁体の側面と面一である構成を採用することができる。
【０００９】
これらの各態様において、前記リング部材は前記貫通孔内に位置している構成を採用することができる。
【００１０】
また、これらの各態様において、前記保持部材の内周と前記管体の外周との間に第一パッキンを備える構成を採用することができる。
【００１１】
これらの各態様において、前記保持部材の軸方向端部にねじ結合により取り付けられる端部ナットを備え、前記端部ナットの内側端面と前記保持部材の軸方向端部との間に第二パッキンを備える構成を採用することができる。
【００１２】
さらに、前記端部ナットは前記貫通孔内に位置している構成を採用することができる。
【発明の効果】
【００１３】
この発明は、壁体の貫通孔に挿通される管体を、筒状の保持部材と保持部材の外周にねじ結合されるリング部材とを用い、互いに対向するリング部材の一端面と保持部材の段部端面との間で壁体の側面に固定される固定板を保持したので、壁体に対して強固に固定できる壁貫通配管保持具を実現できる。
【図面の簡単な説明】
【００１４】
【図１】この発明の第一実施形態の縦断面図
【図２】第一実施形態の分解斜視図
【図３】この発明の第二実施形態の縦断面図
【図４】第二実施形態の分解斜視図
【発明を実施するための形態】
【００１５】
この発明の実施形態を、図面に基づいて説明する。図１及び図２は、この発明の第一実施形態の壁貫通配管保持具１０、及び、その壁貫通配管保持具１０を用いた管体１の固定構造を示している。
【００１６】
この実施形態において、管体１は、配水管や電気配線挿通用の管体、ガス管等、一般住居等の壁体２を貫通して配設される各種配管を想定している。例えば、浴室の内外間を隔てる壁体２や、部屋と部屋とを隔てる壁体２、あるいは、屋内と屋外とを隔てる壁体２において、その壁体２を貫通して配設する管体１の固定構造を採用できる。管体１は、一般的な塩ビ管（塩化ビニル管）等の各種樹脂管、金属管等、種々のものを採用できる。管体１の内部１ｂには、水やガス等の流体が供給されたり、あるいは、電機配線等が収容される。
【００１７】
壁貫通配管保持具１０は、このような壁体２に設けた貫通孔３内に挿通される管体１を、その壁体２に保持するものである。また、この壁貫通配管保持具１０によれば、管体１を貫通孔３に対して容易に且つ強固に固定し、また、水密に固定することも可能である。
【００１８】
壁貫通配管保持具１０の構成は、図１に示すように、壁体２に設けた貫通孔３に挿通される管体１と、管体１の外周に配置される筒状の保持部材１１と、保持部材１１の外周にねじ結合により取り付けられるリング部材１５及び端部ナット１６等を備えている。
【００１９】
保持部材１１は、最も大径である円筒状の本体部１１ａと、その本体部１１ａよりも軸方向一方側に位置し、本体部１１ａよりもやや小径の雄ネジ部１１ｂとを備えている。本体部１１ａの外径は、貫通孔３の内径と同じか、あるいは、貫通孔３の内径よりもやや小さくなっており、本体部１１ａは貫通孔３内に収容可能である。
【００２０】
保持部材１１は、本体部１１ａと雄ネジ部１１ｂとの境界部に段部を備え、その段部は、軸方向に直交する面方向を有する段部端面１１ｃを有するものとなっている。この実施形態では、本体部１１ａと雄ネジ部１１ｂとが一体の部材で構成されているが、保持部材１１は、別々に形成された複数の部材を固定して一体にしたものであってもよい。
【００２１】
保持部材１１は、その軸方向全長に亘って貫通孔１１ｄが形成され、その貫通孔１１ｄの内周に、パッキン（第一パッキン）１７を収容するための凹溝が形成されている。凹溝は、保持部材１１の軸方向他方側の端部に設けられ、周方向全長に亘って形成されている。この第一パッキン１７は、ゴム製の環状部材である。
【００２２】
リング部材１５は、その内周に雌ネジ部１５ｂを有し、雌ネジ部１５ｂが保持部材１１の雄ネジ部１１ｂにねじ込まれるようになっている。このねじ込みは、リング部材１５の外周１５ａに係止可能な各種の工具を用いて行うことも可能であるが、リング部材１５の外周１５ａを手で掴んで手作業で行うことも可能である。
【００２３】
リング部材１５の一端面１５ｃと、保持部材１１の段部端面１１ｃとは、軸方向に沿って対向する。その一端面１５ａと段部端面１１ｃとの間には、壁面側パッキン１２及びリング側パッキン１４を介して、固定板１３が挟んで保持される。すなわち、固定板１３の壁体２側に壁面パッキン１２が配置され、リング部材１５側にリング側パッキン１４が配置され、固定板１３は、壁体２の側面４にネジ等により固定されることとなる。壁面側パッキン１２及びリング側パッキン１４は、それぞれゴム製の環状部材で構成される。特に、壁面側パッキン１２は、固定板１３の板面及び壁体２の側面４のそれぞれに対して、より広い面積で面接触できるように、シート状の部材で構成することが望ましい。
【００２４】
そして、リング部材１５が、保持部材１１の段部端面１１ｃ側へ近づく方向へねじ込まれることにより、壁面側パッキン１２及びリング側パッキン１４は、段部端面１１ｃ側に押し付けられながら軸方向へ圧縮されて、所定の止水機能を発揮できる状態となる。なお、壁面側パッキン１２は、主として、固定板１３と壁体２の側面４との間の水密性を高める目的で配置され、リング側パッキン１４は、主として、環状を成す固定板１３の内周と保持部材１１の外周、及び、固定板１３とリング部材１５の一端面１５ｃとの間の水密性を高める目的で配置される。
【００２５】
ここで、図１に示す完成状態で、保持部材１１の段部端面１１ｃと、壁体２の側面４とは面一である。すなわち、保持部材１１の段部端面１１ｃと壁体２の側面４とは同一の面上にあるので、壁面側パッキン１２を介して壁体２の側面４や保持部材１１の段部端面１１ｃに当接する固定板１３をフラットな板材とすることができ、部材を簡素化できる。なお、仮に、保持部材１１の段部端面１１ｃと壁体２の側面４とが同一の面上にない場合は、壁体２の側面４に対する固定板１３又は壁面側パッキン１２の当たり面と、保持部材１１の段部端面１１ｃに対する固定板１３又は壁面側パッキン１２の当たり面との間に段差や傾斜を設けることとなる。
【００２６】
壁体２に管体１を固定する際には、まず、保持部材１１、壁面側パッキン１２、固定板１３、リング側パッキン１４、リング部材１５を一体化した状態で、保持部材１１の本体部１１ａを貫通孔３内に挿入し、固定板１３を壁体２の側面に固定する。なお、リング部材１５のねじ込みによる固定板１３等の保持部材１１への一体化を、保持部材１１の貫通孔３内への挿入後、固定板１３等の壁体２への固定前、又は、固定後に行ってもよい。
【００２７】
その後、保持部材１１の貫通孔１１ｄ内に、管体１を挿入する。貫通孔１１ｄ内の軸方向他方側の端部には第一パッキン１７が配置されているので、この第一パッキン１７は管体１の外周１ａに接して、管体１の外周を水密に保持する。
【００２８】
また、管体１が保持部材１１の貫通孔１１ｄ内に挿入された後、保持部材１１の軸方向一方側の端部に、端部ナット（袋ナット）１６が配置される。端部ナット１６は、軸方向一方側の壁部の中央に孔を有し、その壁部の外径部から軸方向他方側に向かって伸びる円筒状部分の内周に雌ネジ部１６ｂを有している。
【００２９】
端部ナット１６の孔に管体１を挿通し、端部ナット１６の雌ネジ部１６ｂが、保持部材１１の雄ネジ部１１ｂにねじ込んでいく。このねじ込みは、端部ナット１６の外周１６ａに係止可能な各種の工具を用いて行うことも可能であるが、端部ナット１６の外周１６ａを手で掴んで手作業で行うことも可能である。
【００３０】
保持部材１１の軸方向一方側の端部には、軸方向に沿って並列して、パッキン（第二パッキン）１８とスリップワッシャ１９が配置される。この実施形態では、第二パッキン１８は、ゴム製の環状部材で構成されて保持部材１１の軸方向一方側の端部（端面）に当接し、スリップワッシャ１９は樹脂製であり、端部ナット１６の壁部の内側端面１６ｃに当接するように配置されている。なお、この実施形態では、固定板１３として金属（例えばステンレス）を採用し、壁貫通配管保持具１０を構成する他の部材（保持部材１１、リング部材１５、端部ナット１６、スリップワッシャ１９等）は、パッキン類を除いて樹脂製としているが、これらの各部材の素材は必要に応じて変更することができる。各部材は、求められる所定の防錆性能や絶縁性能、耐久性、強度、コスト等の条件に応じて、適宜の樹脂素材、金属素材、その他素材とすることができる。
【００３１】
端部ナット１６のねじ込みにより、第二パッキン１８は、端部ナット１６の内側端面１６ｃ及びスリップワッシャ１９と、保持部材１１の軸方向一方側の端部との間に挟まれて、軸方向へ圧縮される。この圧縮により、第二パッキン１８は外径側へ膨出して、端部ナット１６の円筒状部分の内周に密着する。これにより、管体１と保持部材１１との間の高い止水性が確保される。
【００３２】
なお、この実施形態では、管体Ｐの外周に当接する２つのパッキン１７，１８を併用する構成としたが、この例に限定されることなく、管体１と保持部材１１との間の止水性を確保し得るものであれば、種々のパッキンを採用できる。これは、後述の実施形態でも同様である。
【００３３】
また、固定板１３の壁体２への固定を最後の工程とすることもできる。すなわち、端部ナット１６のねじ込みにより、保持部材１１に対して管体１を固定した後に、既に保持部材１１に固定されている固定板１３を、壁体２の側面４に固定してもよい。
【００３４】
この発明の第二実施形態を図３及び図４に示す。第二実施形態の壁貫通配管保持具１０の主たる構成は、第一実施形態と共通であるが、以下はその差異点を中心に説明する。
【００３５】
この第二実施形態では、第一実施形態の壁貫通配管保持具１０を、軸方向に逆向きに壁体２に取り付けている。すなわち、保持部材１１の軸方向一方側の雄ネジ部１１ｂが貫通孔３内に収容され、本体部１１ａは、貫通孔３の外部に位置することとなる。雄ネジ部１１ｂにネジ結合されるリング部材１５及び端部ナット１６の外径は、貫通孔３の内径と同じか、あるいは、貫通孔３の内径よりもやや小さくなっており、リング部材１５及び端部ナット１６を取り付けた状態で、雄ネジ部１１ｂは、貫通孔３内に収容可能である。
【００３６】
この第二実施形態の壁貫通配管保持具１０を用いて、壁体２に管体１を固定する際には、まず、保持部材１１、壁面側パッキン１２、固定板１３、リング側パッキン１４、リング部材１５を一体化した状態で、保持部材１１の貫通孔１１ｄ内に、管体１を挿入する。このとき、第一パッキン１７は管体１の外周１ａに接して、管体１の外周を水密に保持する。
【００３７】
また、管体１が保持部材１１の貫通孔１１ｄ内に挿入された後、端部ナット１６の孔に管体１を挿通し、端部ナット１６の雌ネジ部１６ｂが、保持部材１１の雄ネジ部１１ｂにねじ込まれる。
【００３８】
保持部材１１の軸方向一方側の端部に、第二パッキン１８、スリップワッシャ１９を配置する。端部ナット１６のねじ込みにより、第二パッキン１８は、端部ナット１６の内側端面１６ｃ及びスリップワッシャ１９と、保持部材１１の軸方向一方側の端部との間に挟まれて軸方向へ圧縮され、第二パッキン１８は外径側へ膨出して、端部ナット１６の円筒状部分の内周に密着する。
【００３９】
このように、管体１の外周に壁貫通配管保持具１０を固定した状態で、保持部材１１の雄ネジ部１１ｂを、リング部材１５や端部ナット１６とともに貫通孔３内に挿入し、固定板１２，１３を壁体２の側面に固定する。
【００４０】
固定後は、リング部材１５の一端面１５ｃと壁体２の側面４とが面一である。また、リング部材１５は貫通孔３内に位置し、また、端部ナット１６も貫通孔３内に位置することとなる。リング部材１５や端部ナット１６が貫通孔３内に位置していることにより、いたずら等によって壁貫通配管保持具１０が緩む事態を防止できる。特に、浴室の内外を隔てる壁体２等においては、図３の右側に位置する浴室側にリング部材１５や端部ナット１６が露出せず、リング部材１５や端部ナット１６貫通孔３内に隠れている本形態が有効である。
【００４１】
上記の各実施形態では、保持部材１１に一体に設けられた段部端面１１ｃと、リング部材１５の一端面１５ｃとの間に固定板１３を保持したが、保持部材１１の段部端面１１ｃを、保持部材１１に固定した別部材によって形成してもよい。例えば、保持部材１１の外周にリング状の別部材を嵌合、接着等の種々の手段により固定し、その別部材の軸方向端面によって、段部端面１１ｃを形成してもよい。
【符号の説明】
【００４２】
１  管体
２  壁体
３  貫通孔
４  側面
１０  壁貫通配管保持具
１１  保持部材
１１ａ  本体部
１１ｂ  雄ネジ部
１１ｃ  段部端面
１１ｄ  貫通孔
１２  壁面側パッキン
１３  固定板
１４  リング側パッキン
１５  リング部材
１５ａ  外周
１５ｂ  雌ネジ部
１５ｃ  一端面
１６  端部ナット（袋ナット）
１６ａ  外周
１６ｂ  雌ネジ部
１６ｃ  内側端面
１７  第一パッキン（パッキン）
１８  第二パッキン（パッキン）
１９  スリップワッシャ
【図１】
2019190534.tif 000003
【図２】
2019190534.tif 000004
【図３】
2019190534.tif 000005
【図４】
2019190534.tif 000006
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
壁体（２）の貫通孔（３）に挿通される管体（１）と、
前記管体（１）の外周に配置される筒状の保持部材（１１）と、
前記保持部材（１１）の外周にねじ結合により取り付けられるリング部材（１５）と、
前記保持部材（１１）に設けられ前記リング部材（１５）の一端面（１５ｃ）に対向する段部端面（１１ｃ）と、
前記一端面（１５ｃ）と前記段部端面（１１ｃ）との間に保持され前記壁体（２）の側面（４）に固定される固定板（１３）と、
を備え、
前記リング部材（１５）は前記貫通孔（３）内に位置している壁貫通配管保持具。
【請求項２】
前記一端面（１５ｃ）と前記段部端面（１１ｃ）のいずれかは、前記壁体（２）の側面（４）と面一である請求項１に記載の壁貫通配管保持具。
【請求項３】
前記保持部材（１１）の内周と前記管体（１）の外周との間に第一パッキン（１７）を備える請求項１又は２に記載の壁貫通配管保持具。
【請求項４】
前記保持部材（１１）の軸方向端部にねじ結合により取り付けられる端部ナット（１６）を備え、
前記端部ナット（１６）の内側端面（１６ｃ）と前記保持部材（１１）の軸方向端部との間に第二パッキン（１８）を備える請求項１から３のいずれか一つに記載の壁貫通配管保持具。
【請求項５】
前記端部ナット（１６）は前記貫通孔（３）内に位置している請求項４に記載の壁貫通配管保持具。